(57)【特許請求の範囲】
【請求項１】
作業対象者毎に、当該作業対象者の作業位置と、当該作業対象者に施す作業内容とを少なくとも含む作業スケジュールを管理する管理手段と、
前記作業位置における前記作業対象者の存否を監視する監視手段と、
前記監視手段の監視結果に基づき、前記作業位置での前記作業対象者の不在状態から当該作業位置への戻りを検知する検知手段と、
外部の情報通信端末から特定の作業スケジュールについて戻り通知が要求された場合に、前記検知手段の検知結果に基づいて、当該作業スケジュールに含まれた前記作業位置への前記作業対象者の戻りを前記情報通信端末に通知する通知手段と、
を備える業務支援装置。
【請求項２】
前記通知手段は、前記作業位置への前記作業対象者の戻りを通知するとともに、当該作業位置を含んだ前記作業スケジュールを、前記情報通信端末に通知する請求項１に記載の業務支援装置。
【請求項３】
前記検知手段は、前記情報通信端末から前記戻り通知の要求とともに制限時間が指定された場合、前記戻り通知が要求されてから前記制限時間に到達するまでの間、前記戻りの検知を行う請求項１又は２に記載の業務支援装置。
【請求項４】
作業対象者毎に、当該作業対象者の作業位置と、当該作業対象者に施す作業内容とを少なくとも含む作業スケジュールを管理する業務支援装置から、一又は複数の作業対象者の作業スケジュールを取得する取得手段と、
前記取得手段が取得した作業スケジュールのうち、戻り通知の対象となる作業対象者の作業スケジュールの選択を受け付ける選択手段と、
前記選択手段で選択された作業スケジュールを指定する戻り通知の要求を、前記業務支援装置に送信する通知要求手段と、
前記戻り通知の対象の前記作業スケジュールに含まれた作業位置への前記作業対象者の戻りが前記業務支援装置で検知されると、当該業務支援装置から戻り通知を受け付ける受付手段と、
を備える情報通信端末。
【請求項５】
前記受付手段は、前記業務支援装置から前記戻り通知とともに当該戻り通知に係る作業対象者の作業スケジュールを受け付ける請求項４に記載の情報通信端末。
【請求項６】
前記通知要求手段は、前記選択手段で選択された作業スケジュールを指定するとともに、前記戻りの検知を行う制限時間を指定する情報を含んだ戻り通知の要求を、前記業務支援装置に送信する請求項４又は５に記載の情報通信端末。
【請求項７】
業務支援装置のコンピュータを、
作業対象者毎に、当該作業対象者の作業位置と、当該作業対象者に施す作業内容とを少なくとも含む作業スケジュールを管理する管理手段と、
前記作業位置における前記作業対象者の存否を監視する監視手段と、
前記監視手段の監視結果に基づき、前記作業位置での前記作業対象者の不在状態から当該作業位置への戻りを検知する検知手段と、
外部の情報通信端末から特定の作業スケジュールについて戻り通知が要求された場合に、前記検知手段の検知結果に基づいて、当該作業スケジュールに含まれた前記作業位置への前記作業対象者の戻りを前記情報通信端末に通知する通知手段と、
して機能させるためのプログラム。
【発明の詳細な説明】
【技術分野】
【０００１】
本発明の実施形態は、業務支援装置、情報通信端末及びプログラムに関する。
【背景技術】
【０００２】
従来、看護師等の従事者では、自己が行う予定の作業スケジュールを、スケジュール表等の紙媒体やＰＤＡ等の端末で確認しながら処理することが行われている。また、従来、予定された時刻になると、その予定を入力した本人に予定内容を通知することが可能な技術が提案されている。
【発明の概要】
【発明が解決しようとする課題】
【０００３】
例えば、看護師が予定された作業内容を処理するため、作業（処置）の対象となる入院患者の病床に出向いた際に、当該病床にその患者が不在の場合がある。このような場合、看護師は、患者の戻りを待機したり、連絡を要求する伝言メモ等を残したりすることで対処しているが、効率的とは言えず作業の円滑化を妨げる可能性があった。なお、従来技術では、予定内容を確認することが可能であるが、作業の対象となる患者が不在の場合には、予定された作業をこなすことができないため、上記と同様の課題が存在する。
【課題を解決するための手段】
【０００４】
実施の形態の業務支援装置は、管理手段と、監視手段と、検知手段と、通知手段とを備える。管理手段は、作業対象者毎に、当該作業対象者の作業位置と、当該作業対象者に施す作業内容とを少なくとも含む作業スケジュールを管理する。監視手段は、作業位置における作業対象者の存否を監視する。検知手段は、監視手段の監視結果に基づき、作業位置での作業対象者の不在状態から当該作業位置への戻りを検知する。通知手段は、外部の情報通信端末から特定の作業スケジュールについて戻り通知が要求された場合に、検知手段の検知結果に基づいて、当該作業スケジュールに含まれた作業位置への作業対象者の戻りを情報通信端末に通知する。
【図面の簡単な説明】
【０００５】
【図１】図１は、本実施形態に係る看護業務システムの構成を概略的に示す図である。
【図２】図２は、図１に示した業務支援サーバの構成の一例を示す図である。
【図３】図３は、図２に示したセンサ管理ファイルのデータ構成の一例を示す図である。
【図４】図４は、図２に示した患者管理ファイルのデータ構成の一例を示す図である。
【図５】図５は、図２に示した看護師管理ファイルのデータ構成の一例を示す図である。
【図６】図６は、図２に示した作業スケジュール管理ファイルのデータ構成の一例を示す図である。
【図７】図７は、図１に示した看護師端末の構成の一例を示す図である。
【図８】図８は、看護師端末の表示部に表示された作業スケジュールの一例を示す図である。
【図９】図９は、看護師端末の表示部に表示された付加条件の設定画面の一例を示す図である。
【図１０】図１０は、看護師端末の表示部に表示された戻り通知画面の一例を示す図である。
【図１１】図１１は、看護師端末の表示部に表示された戻り通知画面の他の例を示す図である。
【図１２】図１２は、看護師端末の表示部に表示された戻り通知画面の他の例を示す図である。
【図１３】図１３は、業務支援サーバ及び看護師端末で行われる、作業スケジュールの授受に係る処理の手順を示すフローチャートである。
【図１４】図１４は、業務支援サーバ及び看護師端末で行われる、戻り通知の設定に係る処理の手順を示すフローチャートである。
【図１５】図１５は、業務支援サーバ及び看護師端末で行われる、戻り通知の授受に係る処理の手順を示すフローチャートである。
【図１６】図１６は、業務支援サーバ及び看護師端末で行われる、作業状態の更新に係る処理の手順を示すフローチャートである。
【発明を実施するための形態】
【０００６】
以下、添付図面を参照して、本願発明に係る業務支援装置、情報通信端末及びプログラムの実施形態を詳細に説明する。以下では、病院内に設けられる看護業務支援システムに適用した例を説明するが、この実施形態によりこの発明が限定されるものではない。
【０００７】
図１は、本実施形態に係る看護業務システム１の構成を概略的に示す図である。同図に示すように、看護業務システム１は、業務支援装置としての業務支援サーバ１０と、アクセスポイント２０と、各看護師が携帯する情報通信端末としての看護師端末３０と、センサ装置４０とを有している。
【０００８】
図１において、業務支援サーバ１０は、イントラネット等のネットワークＮを介してアクセスポイント２０と接続されており、このアクセスポイント２０を介して看護師端末３０との間で通信を行う。また、業務支援サーバ１０は、ネットワークＮを介してセンサ装置４０と接続されており、ネットワークＮを通じて各センサ装置４０でのセンシング結果を取得する。なお、看護業務システム１に含まれるアクセスポイント２０、看護師端末３０及びセンサ装置４０の個数は、特に問わないものとする。
【０００９】
業務支援サーバ１０は、看護業務に関する情報を看護師端末３０に提供する一又は複数のサーバ装置である。
【００１０】
図２は、業務支援サーバ１０の構成の一例を示す図である。同図に示すように、業務支援サーバ１０は、情報処理を実行するマイクロコンピュータとして、ＣＰＵ１１、ＲＯＭ１２及びＲＡＭ１３を備えている。
【００１１】
ＣＰＵ１１は、ＲＯＭ１２や後述する記憶部１６に記憶された各種プログラムを実行することにより、業務支援サーバ１０の動作を統括的に制御する。ＲＯＭ１２は、基本動作を行うためのプログラムを記憶している。ＲＡＭ１３は、業務支援サーバ１０の主記憶装置であって、ＣＰＵ１１のワークエリアとして機能する。
【００１２】
また、ＣＰＵ１１には、各種の入出力回路（図示せず）を介して、入力部１４及び表示部１５が接続されている。入力部１４は、キーボードやポインティングデバイス等の入力デバイスであって、業務支援サーバ１０の操作者から入力された操作内容をＣＰＵ１１に通知する。表示部１５は、ＬＣＤ等の表示デバイスを有し、ＣＰＵ１１の指示に従い各種の情報を表示する。
【００１３】
また、ＣＰＵ１１には、各種の入出力回路（図示せず）を介して、記憶部１６、通信Ｉ／Ｆ１７が接続されている。
【００１４】
記憶部１６は、ＨＤＤやフラッシュメモリ等の記憶媒体であって、業務支援サーバ１０の動作に係る各種プログラム及び各種ファイルを記憶している。記憶部１６が記憶するファイルとしては、例えば、センサ管理ファイル１６１、患者管理ファイル１６２、看護師管理ファイル１６３及び作業スケジュール管理ファイル１６４等が挙げられる。
【００１５】
図３は、センサ管理ファイル１６１のデータ構成の一例を示す図である。同図に示すように、センサ管理ファイル１６１は、データ項目として「センサ識別子」及び「設置位置」を有し、これらのデータ項目を対応付けて管理している。
【００１６】
「センサ識別子」には、各センサ装置４０を識別するための識別子（センサ識別子）が格納される。センサ識別子としては、例えば、各センサ装置４０に予め割り当てられたＩＰアドレスやＭＡＣアドレス、機器個体番号等を用いることができる。「設置位置」には、対応するセンサ装置４０の設置位置が格納される。ここで、設置位置としては、例えば、センサ装置４０が設置された病床位置や病床番号、病室番号等を用いることができる。なお、センサ管理ファイル１６１のデータ構成は、図３の例に限らないものとする。
【００１７】
図４は、患者管理ファイル１６２のデータ構成の一例を示す図である。同図に示すように、患者管理ファイル１６２は、データ項目として「患者識別子」及び「入院位置」を有し、これらのデータ項目を対応付けて管理している。
【００１８】
「患者識別子」には、各患者（入院患者）を識別するための識別子（患者識別子）が格納される。患者識別子としては、例えば、患者の氏名、各患者に予め割り当てられた患者ＩＤ等を用いることができる。「入院位置」には、対応する患者の入院位置に関する情報が格納される。入院位置としては、例えば、患者が入院する病床位置や病床番号、病室番号等を用いることができる。本実施形態では、患者の入院位置毎にセンサ装置４０が設置される構成を想定しているため、センサ管理ファイル１６１の「設置位置」と、患者管理ファイル１６２の「入院位置」とは関係を有する。なお、患者管理ファイル１６２のデータ構成は、図４の例に限らないものとする。
【００１９】
図５は、看護師管理ファイル１６３のデータ構成の一例を示す図である。同図に示すように、看護師管理ファイル１６３は、データ項目として「看護師識別子」及び「端末識別子」を有し、これらのデータ項目を対応付けて管理している。
【００２０】
「看護師識別子」には、各看護師を識別するための識別子（看護師識別子）が格納される。看護師識別子としては、例えば、看護師の氏名、各看護師に予め割り当てられた看護師ＩＤ等を用いることができる。「端末識別子」には、対応する看護師が携帯する看護師端末３０の識別子（端末識別子）が格納される。端末識別子としては、例えば、各看護師端末３０に予め割り当てられたＩＰアドレやＭＡＣアドレス、機器個体番号等を用いることができる。また、看護師管理ファイル１６３に格納される看護師識別子及び端末識別子の組は、看護師端末３０から入力される看護師識別子及び端末識別子に応じて、動的に更新する形態としてもよい。なお、看護師管理ファイル１６３のデータ構成は、図５の例に限らないものとする。
【００２１】
図６は、作業スケジュール管理ファイル１６４のデータ構成の一例を示す図である。同図に示すように、作業スケジュール管理ファイル１６４は、データ項目として「看護師識別子」、「作業スケジュール」、「戻り通知フラグ」、「付加条件」及び「状態フラグ」を有し、これらのデータ項目を対応付けて管理している。
【００２２】
「看護師識別子」には、各看護師の看護師識別子が格納される。ここで、作業スケジュール管理ファイル１６４に格納される看護師識別子は、看護師管理ファイル１６３の看護師識別子に対応する。
【００２３】
「作業スケジュール」には、対応する看護師の所定期間分（例えば、２時間分、１日分等）の作業予定が格納される。具体的に、「作業スケジュール」は、「患者識別子」、「作業位置」及び「作業内容」等のデータ項目を有する。
【００２４】
ここで、「患者識別子」には、作業（看護業務）の対象となる患者の患者識別子が格納される。なお、作業スケジュール管理ファイル１６４に格納される患者識別子は、患者管理ファイル１６２の患者識別子に対応する。
【００２５】
また、「作業位置」には、対応する患者に処置を施す位置として、当該患者の病床位置や病床番号、病室番号等が格納される。また、「作業内容」には、対応する患者に施す処置の内容（例えば、バイタルチェックや投薬等）が格納される。なお、「作業スケジュール」が有するデータ項目は、上記例に限らず、例えば、処置（作業）を開始する予定時刻等の他のデータ項目を含んでもよい。
【００２６】
「戻り通知フラグ」には、対応する作業スケジュールに、後述する戻り通知の設定がなされたか否かを識別するためのフラグ情報が格納される。本実施形態では、戻り通知フラグとして、例えば二値の数値（０／１）を用い、当該数値により、戻り通知の設定が有効か無効かを表すものとする。なお、戻り通知フラグの初期状態は“無効”であるとする。
【００２７】
「付加条件」には、後述する戻り通知の設定に伴い付加条件として設定される、各種の条件が格納される。なお、付加条件の具体例については後述する。
【００２８】
「状態フラグ」には、作業スケジュールの作業状態を表すためのフラグ情報が格納される。本実施形態では、状態フラグとして、例えば二値の数値（０／１）を用い、当該数値により、作業スケジュールの“作業中”及び“作業完了”の二状態を表すものとする。また、状態フラグの初期状態は空（ＮＵＬＬ）であるとする。なお、作業スケジュール管理ファイル１６４のデータ構成は、図６の例に限らないものとする。
【００２９】
図２に戻り、通信Ｉ／Ｆ１７は、ネットワークＮに接続するためのインタフェースである。通信Ｉ／Ｆ１７は、ネットワークＮに接続されたアクセスポイント２０を介して、看護師端末３０及びセンサ装置４０との間で各種情報の授受を行う。
【００３０】
次に、業務支援サーバ１０が有する特徴的な機能について説明する。ＣＰＵ１１は、ＲＯＭ１２や記憶部１６に記憶された所定のプログラムとの協働により、図２に示すように、作業スケジュール提供部１１１、戻り通知設定部１１２、戻り監視部１１３及び作業状態管理部１１４を、機能部として実現させる。
【００３１】
作業スケジュール提供部１１１は、看護師端末３０から入力される看護師識別子に基づき、当該看護師識別子に対応付けられた作業スケジュールを、作業スケジュール管理ファイル１６４から抽出する。また、作業スケジュール提供部１１１は、抽出した作業スケジュールを、当該作業スケジュールの看護師識別子に対応付けて看護師管理ファイル１６３に格納された端末識別子の看護師端末３０に通知する。なお、作業スケジュール管理ファイル１６４に格納された作業スケジュールのうち、状態フラグが“作業中”及び“作業完了”のものについては、抽出の対象から除外する。
【００３２】
戻り通知設定部１１２は、看護師端末３０から、戻り通知の対象となる作業スケジュールを指定した戻り通知設定を受け付けると、設定通知で指定された作業スケジュールの戻り通知フラグを有効化する。また、戻り通知設定部１１２は、受け付けた設定通知に付加条件が含まれていた場合、その設定通知で指定された作業スケジュールの戻り通知フラグを有効化するとともに、付加条件欄に付加条件を設定する。
【００３３】
戻り監視部１１３は、戻り通知フラグが有効とされた作業スケジュールの各々について、当該作業スケジュールに含まれる患者識別子（又は作業位置）に対応するセンサ識別子を、センサ管理ファイル１６１及び患者管理ファイル１６２から特定すると、そのセンサ識別子に対応するセンサ装置４０から入力されるセンシング結果の監視を開始する。
【００３４】
また、戻り監視部１１３は、監視対象としたセンサ装置４０のセンシング結果に基づき、当該センサ装置４０の設置位置（入院位置）での患者の不在状態から当該入院位置への戻りを検知する。また、戻り監視部１１３は、患者の入院位置への戻りを検知すると、当該患者の戻りを報知する報知情報と、この患者の入院位置を含む作業スケジュールとを戻り通知として、当該作業スケジュールの看護師識別子に対応する看護師端末３０に送信する。
【００３５】
また、戻り監視部１１３は、看護師端末３０への戻り通知後、対応する作業スケジュールの戻り通知フラグを無効化することで、監視状態を解除する。本実施形態では、戻り通知として作業スケジュールを送信する形態とするが、これに限らず、作業スケジュールを送信しない形態としてもよい。
【００３６】
なお、戻り監視部１１３での患者の検知方法は特に問わず、種々の方法を採用することが可能である。例えば、センサ装置４０のセンシング結果として、人の在／不在を表す結果が入力される場合、戻り監視部１１３は、人の存在を表す結果を受けた場合に、戻り通知の対象となった作業スケジュールの患者識別子に対応する患者を検知したと判定してもよい。また、センサ装置４０のセンシング結果として、患者識別子が直接入力される場合、戻り監視部１１３は、センサ装置４０から受け付けた患者識別子と、戻り通知の対象となった作業スケジュールの患者識別子とを比較し、両患者識別子が一致した場合に患者を検知したと判定してもよい。
【００３７】
また、戻り監視部１１３は、付加条件が設定された作業スケジュールについては、その付加条件に応じた動作をセンシング結果の監視又は作業スケジュールの通知時に行うものとする。付加条件は特に限らないものとするが、例えば、患者の戻りを監視する時間を制限するもの（以下、制限時間条件という）、患者の存在を検知してから戻り通知を行うまでの待機時間を定めるもの（以下、待機時間条件という）等が挙げられる。
【００３８】
付加条件として制限時間条件が設定されている場合、戻り監視部１１３は、ＲＴＣ（Real  Time  Clock）等の計時手段（図示せず）を用いて、戻り通知フラグを有効化してからの経過時間を測定し、その経過時間が制限時間条件で設定された制限時間に到達するまでの間、センシング結果の監視を継続する。そして、患者の存在が検知されないまま制限時間に到達すると、戻り通知フラグを無効化するとともに付加条件欄をクリアすることで、監視状態を解除する。なお、患者の存在が検知されないまま制限時間に到達した場合には、その旨を対応する看護師端末３０に送信する形態としてもよい。
【００３９】
また、付加条件として待機時間条件が設定されている場合、戻り監視部１１３は、ＲＴＣ等の計時手段（図示せず）を用いて、患者の存在を検知してからの経過時間を測定する。そして、戻り監視部１１３は、経過時間が待機時間条件で設定された待機時間に到達すると、対応する看護師端末３０に戻り通知を送信する。なお、この場合、待機時間条件として設定された待機時間を、戻り通知に含めてもよい。
【００４０】
作業状態管理部１１４は、看護師端末３０から特定の作業スケジュールを指定した実行通知を受け付けると、この作業スケジュールの状態フラグに“作業中”を表すフラグ情報を設定する。また、作業状態管理部１１４は、看護師端末３０から特定の作業スケジュールを指定した完了通知を受け付けると、この作業スケジュールの状態フラグに“作業完了”を表すフラグ情報を設定する。
【００４１】
次に、アクセスポイント２０について説明する。アクセスポイント２０は、無線ＬＡＮのアクセスポイント等であって、ネットワークＮに接続されている。アクセスポイント２０は、病院内の各所に設置されており当該設置位置周辺に存在する看護師端末３０と通信を確立する。これにより、看護師端末３０は、アクセスポイント２０を介して業務支援サーバ１０と通信可能に接続される。
【００４２】
次に、看護師端末３０について説明する。看護師端末３０は、ノートＰＣ（Personal  Computer）、タブレット端末、ハンディターミナル等の情報通信端末であって、看護師により携帯される。看護師端末３０では、後述する入力部３４等を介して自装置を携帯する看護師の看護師識別子を入力することが可能となっており、看護師識別子が入力された場合には後述するＲＡＭ３３等の記憶媒体に保持される。なお、看護師端末３０は、アクセスポイント２０を介して業務支援サーバ１０と通信する際に、自装置の端末識別子と入力された看護師識別子とを、業務支援サーバ１０に送信するよう構成されている。
【００４３】
図７は、看護師端末３０の構成の一例を示す図である。同図に示すように、看護師端末３０は、情報処理を実行するマイクロコンピュータとして、ＣＰＵ３１、ＲＯＭ３２及びＲＡＭ３３を備えている。
【００４４】
ＣＰＵ３１は、ＲＯＭ３２や後述する記憶部３６に記憶された各種プログラムを実行することにより、看護師端末３０の動作を統括的に制御する。ＲＯＭ３２は、基本動作を行うためのプログラムを記憶している。ＲＡＭ３３は、看護師端末３０の主記憶装置であって、ＣＰＵ３１のワークエリアとして機能する。
【００４５】
また、ＣＰＵ３１には、各種の入出力回路（図示せず）を介して、入力部３４及び表示部３５が接続されている。入力部３４は、キーボードやポインティングデバイス等の入力デバイスであって、看護師端末３０の操作者から入力された操作内容をＣＰＵ３１に通知する。表示部３５は、ＬＣＤ（Liquid  Crystal  Display）等の表示デバイスを有し、ＣＰＵ３１の指示に従い各種の情報を表示する。なお、入力部３４をタッチパネル構成とすることで、表示部３５と協働して入力を受け付ける形態としてもよい。
【００４６】
また、ＣＰＵ３１には、各種の入出力回路（図示せず）を介して、記憶部３６及び通信Ｉ／Ｆ３７が接続されている。記憶部３６は、ＨＤＤやフラッシュメモリ等の記憶媒体であって、Ｗｅｂブラウザ等の各種プログラムや各種ファイルを記憶している。通信Ｉ／Ｆ３７は、アクセスポイント２０と接続可能なインタフェースであって、アクセスポイント２０を介し業務支援サーバ１０との間で各種データの送受信を行う。なお、通信Ｉ／Ｆ３７は、業務支援サーバ１０との通信時に、自装置を操作する看護師の看護師識別子及び自装置の端末識別子を業務支援サーバ１０に送信する。
【００４７】
次に、看護師端末３０が有する特徴的な機能について説明する。ＣＰＵ３１は、ＲＯＭ３２や記憶部３６に記憶された所定のプログラムとの協働により、図７に示すように、作業スケジュール取得部３１１、作業スケジュール表示部３１２、戻り通知設定部３１３、戻り通知表示部３１４及び作業状態通知部３１５を、機能部として実現させる。
【００４８】
作業スケジュール取得部３１１は、自装置を操作する看護師の看護師識別子の通知に伴い、業務支援サーバ１０から通知される作業スケジュールを取得する。作業スケジュール表示部３１２は、作業スケジュール取得部３１１が取得した作業スケジュールを、表示部３５に表示させる。
【００４９】
ここで、図８は、看護師端末３０の表示部３５に表示された作業スケジュールの一例を示す図である。同図に示すように、作業スケジュール表示部３１２は、業務支援サーバ１０から通知された作業スケジュールＳｃ１〜Ｓｃ３を選択可能に表示する。看護師端末３０の操作者は、入力部３４を介して、実行対象とする作業スケジュールを選択することが可能となっている。作業スケジュール表示部３１２は、実行対象の作業スケジュールが選択されると、その作業スケジュールの作業内容に応じた画面（例えば、バイタル値入力画面等）を表示部３５に表示させる。なお、キャンセルボタンＢ１が操作された場合、作業スケジュール表示部３１２は、図８に示した画面を消去するものとする。
【００５０】
また、作業スケジュール表示部３１２は、各作業スケジュールに対応付けて、上述した業務支援サーバ１０の戻り通知機能を有効とするためのボタンＢ２を表示する。さらに、作業スケジュール表示部３１２は、ボタンＢ２が押下されると、付加条件を設置するための設定画面を表示部３５に表示させる。
【００５１】
ここで、図９は、看護師端末３０の表示部３５に表示された付加条件の設定画面の一例を示す図である。同図では、付加条件として、制限時間条件及び待機時間条件の設定画面を示している。チェックボックスＣＢ１、ＣＢ２は、制限時間条件、待機時間条件を適用するか否かを指示するものである。なお、何れのチェックボックスもチェックされない場合には、付加条件は空（ＮＵＬＬ）となる。
【００５２】
また、図９において、領域Ａ１は、制限時間条件として設定される制限時間を入力するための入力領域である。また、領域Ａ２は、待機時間条件として設定される待機時間を入力するための入力領域である。ボタンＢ３は、戻り通知の確定を指示するためのものである。看護師端末３０の操作者によりボタンＢ３が押下されると、先に押下されたボタンＢ２に対応する作業スケジュールが、戻り通知の対象とされたことが戻り通知設定部３１３に通知される。なお、チェックボックスＣＢ１がチェックされていた場合には、領域Ａ１の入力値が制限時間条件として戻り通知設定部３１３に通知される。また、チェックボックスＣＢ２がチェックされていた場合には、領域Ａ２の入力値が待機時間条件として戻り通知設定部３１３に通知される。
【００５３】
図７に戻り、戻り通知設定部３１３は、表示部３５に表示された作業スケジュールの何れかから、戻り通知の対象とする作業スケジュールが選択されると、当該作業スケジュールを指定する情報を含んだ戻り通知設定を、業務支援サーバ１０に送信する。また、戻り通知設定部３１３は、戻り通知の対象とともに、付加条件（制限時間条件、待機時間条件）が通知された場合には、この付加条件を設定通知に含めて業務支援サーバ１０に送信する。
【００５４】
通知表示部３１４は、業務支援サーバ１０から、戻り通知を受け付けると、この戻り通知に含まれた報知情報及び作業スケジュールを表示部３５に表示させる。
【００５５】
ここで、図１０は、看護師端末３０の表示部３５に表示された戻り通知画面の一例を示す図である。同図では、戻り通知画面として、戻り通知に含まれた報知情報Ｇ１と、作業スケジュールＳｃ２とを表示した例を示している。なお、戻り通知画面は、図１０の例に限らず、戻り通知に含まれた作業スケジュールＳｃ２に基づき、当該作業スケジュールの作業内容に応じた画面を、報知情報Ｇ１とともに表示する形態としてもよい。
【００５６】
なお、図１１では、戻り通知画面の他の例として、作業スケジュールＳｃ２の作業内容（バイタルチェック）に応じたバイタル値入力画面Ｇ２を、報知情報Ｇ１とともに表示した例を示している。また、戻り通知に待機時間条件として設定された待機時間が含まれる場合には、図１２に示すように、待機時間Ｇ３を、作業スケジュールＳｃ２の作業内容（バイタルチェック）に応じたバイタル値入力画面Ｇ２（又は作業スケジュールＳｃ２）とともに表示する形態としてもよい。
【００５７】
これにより、看護師端末３０を携帯する看護師は、看護師端末３０の表示部３５に表示された戻り通知画面に基づき、患者が病床等に戻ったことを容易に把握することができるため、利便性を向上させることができる。また、報知情報とともに、対応する作業スケジュールを表示部３５に表示することで、どのような用事で患者の戻りを待っていたか容易に把握することができるため、利便性を向上させることができる。なお、戻り通知の画面表示とともに、看護師端末３０が有する音声出力機能やバイブレーション機能を用いて、戻り通知を受け取ったことを報知する形態としてもよい。
【００５８】
図７に戻り、作業状態通知部３１５は、表示部３５に表示された作業スケジュールの何れかから、実行対象とする作業スケジュールが選択されると、当該作業スケジュールを指定する情報を含んだ実行通知を、業務支援サーバ１０に送信する。例えば、図８に示した作業スケジュールＳｃ１〜Ｓｃ３のうち、作業スケジュールＳｃ２が選択された場合には、作業スケジュールＳｃ２を指定する実行通知が、業務支援サーバ１０に送信される。
【００５９】
また、作業状態通知部３１５は、実行対象とされた作業スケジュールについて、作業の完了が入力部３４を介して指示されると、その作業スケジュールを指定する情報を含んだ完了通知を、業務支援サーバ１０に送信する。なお、作業の完了を指示する画面については、図示を省略するが、例えば、図８や図１２等に示した作業スケジュールの各々と対応付けて、作業の完了を指示するボタンを表示させる形態としてもよい。
【００６０】
センサ装置４０は、自装置周辺に存在する人の存否を検出、或いは自装置周辺に存在する人（患者）を識別可能な装置である。センサ装置４０は、各患者（入院患者）の病床、看護を施す処置室等の病院内の所定位置に予め設置され、人の存否を表す情報、或いは自装置周辺に存在する患者の識別結果をセンシング結果として業務支援サーバ１０に出力する。なお、本実施形態では、各患者の病床にセンサ装置４０が設置されているものとする。また、業務支援サーバ１０への出力時に、自装置のセンサ識別子を出力するものとする。
【００６１】
ここで、センサ装置４０の機器種別は特に問わず、各種のセンサ装置や各種の情報機器を用いることが可能である。例えば、赤外線や超音波、撮像画像等を用いた人感センサ、メンブレンスイッチ等の着座センサ等のセンサ装置、顔部の撮像画像から人（患者）を識別可能な顔認識装置を用いてもよい。また、各患者が自己の患者識別子を記憶したＲＦＩＤタグを携帯するような場合には、このＲＦＩＤタグの読み出しを行うＲＦＩＤリーダをセンサ装置４０としてもよい。
【００６２】
以下、上述した構成の看護業務システム１の動作について説明する。まず、図１３を参照して、業務支援サーバ１０と看護師端末３０との間で行われる、作業スケジュールの授受に係る処理について説明する。
【００６３】
図１３は、業務支援サーバ１０及び看護師端末３０で行われる、作業スケジュールの授受に係る処理の手順を示すフローチャートである。まず、看護師端末３０では、自装置の周辺に配置されているアクセスポイント２０と通信を確立すると、このアクセスポイント２０を介して業務支援サーバ１０にアクセスする（ステップＳ１１）。この時、看護師端末３０から、看護師識別子及び端末識別子が業務支援サーバ１０に送信される。
【００６４】
業務支援サーバ１０では、看護師端末３０からのアクセスを受け付けると（ステップＳ２１）、作業スケジュール提供部１１１は、看護師端末３０から入力された看護師識別子に基づき、この看護師識別子に対応付けられた作業スケジュールを、作業スケジュール管理ファイル１６４から抽出する（ステップＳ２２）。次いで、作業スケジュール提供部１１１は、ステップＳ２２で抽出した作業スケジュールを、アクセス元の看護師端末３０に提供する（ステップＳ２３）。
【００６５】
看護師端末３０では、作業スケジュール取得部３１１が、看護師端末３０から提供された実行対象候補を取得する（ステップＳ１２）。続いて、作業スケジュール表示部３１２は、ステップＳ１２で取得された作業スケジュールを、表示部３５に表示させ（ステップＳ１３）、処理を終了する。これにより、図８に示したような作業スケジュールの一覧画面が表示部３５に表示される。
【００６６】
次に、図１４を参照して、業務支援サーバ１０と看護師端末３０との間で行われる、戻り通知の設定に係る処理について説明する。
【００６７】
図１４は、業務支援サーバ１０及び看護師端末３０で行われる、戻り通知の設定に係る処理の手順を示すフローチャートである。なお、本処理の前提として、看護師端末３０の表示部３５には上記ステップＳ１２で取得された作業スケジュールが表示されているものとする。
【００６８】
まず、看護師端末３０の戻り通知設定部３１３は、表示部３５に表示された作業スケジュールの何れかから、戻り通知の対象となる作業スケジュールが選択されるまで待機する（ステップＳ３１；Ｎｏ）。
【００６９】
このとき、看護師端末３０を携帯する看護師は、表示部３５に表示された作業スケジュールの何れかを実行するために所定の作業位置（病床）に向かったが、当該病床に患者が不在であったとする。このような場合、看護師は、上述した図８のボタンＢ２等の操作により、戻り通知の対象となる作業スケジュールを選択する。
【００７０】
戻り通知設定部３１３は、戻り通知の対象となる作業スケジュールの選択を受け付けると（ステップＳ３１；Ｙｅｓ）、図９に示した設定画面等に基づき、制限時間条件や待機時間条件等の付加条件が入力されたか否かを判定する（ステップＳ３２）。
【００７１】
ステップＳ３２において、付加条件が入力されていないと判定した場合（ステップＳ３２；Ｎｏ）、戻り通知設定部３１３は、ステップＳ３２で選択された作業スケジュールを指定する情報を含んだ戻り通知設定を、業務支援サーバ１０に送信する（ステップＳ３３）。また、付加条件が入力されたと判定した場合（ステップＳ３２；Ｙｅｓ）、戻り通知設定部３１３は、ステップＳ３２で選択された作業スケジュールを指定する情報と付加条件とを含んだ戻り通知設定を、業務支援サーバ１０に送信する（ステップＳ３４）。
【００７２】
一方、業務支援サーバ１０では、戻り通知設定部１１２が、看護師端末３０から戻り通知設定を受け付けると（ステップＳ４１）、戻り通知設定で指定された作業スケジュールの戻り通知フラグを有効化する（ステップＳ４２）。また、戻り通知設定部１１２は、戻り通知設定に付加条件が含まれているか否かを判定する（ステップＳ４３）。
【００７３】
ステップＳ４３において、戻り通知設定に付加条件が含まれていないと判定した場合（ステップＳ４３；Ｎｏ）、処理を終了する。また、戻り通知設定に付加条件が含まれていると判定した場合（ステップＳ４３；Ｙｅｓ）、戻り通知設定部１１２は、その付加条件を、戻り通知設定で指定された作業スケジュールの付加条件欄に設定（格納）し（ステップＳ４４）、処理を終了する。これにより、特定の作業スケジュールについて、戻り通知の設定が完了する。なお、付加条件欄に制限時間条件が設定された作業スケジュールについては、戻り通知を設定してからの経過時間がカウントされるものとする。
【００７４】
次に、図１５を参照して、業務支援サーバ１０と看護師端末３０との間で行われる、戻り通知の授受に係る処理について説明する。
【００７５】
図１５は、業務支援サーバ１０及び看護師端末３０で行われる、戻り通知の授受に係る処理の手順を示すフローチャートである。なお、本処理の前提として、図１４で説明した処理が既に行われているものとする。
【００７６】
まず、業務支援サーバ１０の戻り監視部１１３は、戻り通知フラグが有効とされた作業スケジュールの各々について、当該作業スケジュールに含まれた患者識別子（又は作業位置）に対応するセンサ識別子を、センサ管理ファイル１６１及び患者管理ファイル１６２から特定する（ステップＳ５１）。次いで、戻り監視部１１３は、特定したセンサ識別子に対応するセンサ装置４０から入力されるセンシング結果の監視を開始する（ステップＳ５２）。
【００７７】
続いて、戻り監視部１１３は、監視対象としたセンサ装置４０のセンシング結果に基づき、当該センサ装置４０の設置位置（入院位置）において患者の不在状態から当該入院位置への戻りを検知したか否かを判定する（ステップＳ５３）。ここで、検知しないと判定した場合（ステップＳ５３；Ｎｏ）、戻り監視部１１３は、付加条件欄に制限時間条件が設定されているか否かを判定する（ステップＳ５４）。付加条件欄に制限時間条件が設定されていない場合（ステップＳ５４；Ｎｏ）、ステップＳ５３に再び戻る。
【００７８】
また、付加条件欄に制限時間条件が設定されていると判定した場合（ステップＳ５４；Ｙｅｓ）、戻り監視部１１３は、経過時間のカウンタ値が制限時間条件として設定された制限時間に到達したか否かを判定する（ステップＳ５５）。ここで、制限時間に未到達の場合には（ステップＳ５５；Ｎｏ）、ステップＳ５３に再び戻る。また、経過時間のカウンタ値が制限時間に到達したと判定した場合には（ステップＳ５５；Ｙｅｓ）、処理を終了する。
【００７９】
また、ステップＳ５３で患者の戻りを検知したと判定した場合（ステップＳ５３；Ｙｅｓ）、戻り監視部１１３は、付加条件欄に待機時間条件が設定されているか否かを判定する（ステップＳ５６）。付加条件欄に待機時間条件が設定されていない場合（ステップＳ５６；Ｎｏ）、ステップＳ５８に直ちに移行する。
【００８０】
また、付加条件欄に待機時間条件が設定されていると判定した場合（ステップＳ５６；Ｙｅｓ）、戻り監視部１１３は、経過時間のカウントを開始し、そのカウンタ値が待機時間条件として設定された待機時間に到達するまで待機する（ステップＳ５７）。そして、カウンタ値が待機時間に到達すると、ステップＳ５８に移行する。
【００８１】
ステップＳ５８において、戻り監視部１１３は、患者の戻りを報知する報知情報と、この患者の入院位置を含む作業スケジュールとを戻り通知として、当該作業スケジュールの看護師識別子に対応する看護師端末３０に送信する（ステップＳ５８）。
【００８２】
一方、看護師端末３０の戻り通知表示部３１４では、業務支援サーバ１０から戻り通知を受け付けると（ステップＳ６１）、この戻り通知に含まれた報知情報と作業スケジュールとを表示部３５に表示させ（ステップＳ６２）、処理を終了する。
【００８３】
これにより、戻り通知を受けた看護師端末３０の看護師は、表示部３５に表示された戻り通知画面（図１０〜図１２参照）を確認することで、患者が入院位置に戻ったことを把握することができる。また、その入院位置での作業スケジュールがあわせて表示されるため、その入院位置（作業位置）での作業内容を容易に把握することができる。
【００８４】
次に、図１６を参照して、業務支援サーバ１０と看護師端末３０との間で行われる、作業状態の更新に係る処理について説明する。
【００８５】
図１６は、業務支援サーバ１０及び看護師端末３０で行われる、作業状態の更新に係る処理の手順を示すフローチャートである。なお、本処理の前提として、看護師端末３０の表示部３５には作業スケジュールが表示されているものとする。
【００８６】
まず、看護師端末３０の作業状態通知部３１５は、表示部３５に表示された作業スケジュールの何れかから、実行の対象となる作業スケジュールが選択されるまで待機する（ステップＳ７１；Ｎｏ）。ここで、実行の対象となる作業スケジュールが選択されると（ステップＳ７１；Ｙｅｓ）、作業状態通知部３１５は、選択された作業スケジュールを指定する情報を含んだ実行通知を、業務支援サーバ１０に送信する（ステップＳ７２）。
【００８７】
続いて、看護師端末３０の作業状態通知部３１５は、実行の対象とされた作業スケジュールについて、入力部３４を介して作業の完了が指示されるまで待機する（ステップＳ７３；Ｎｏ）。作業の完了が指示されると（ステップＳ７３；Ｙｅｓ）、作業状態通知部３１５は、作業が完了した作業スケジュールを指定する情報を含んだ完了通知を、業務支援サーバ１０に送信する（ステップＳ７４）。
【００８８】
一方、業務支援サーバ１０の作業状態管理部１１４は、看護師端末３０から実行通知を受け付けると（ステップＳ８１）、この実行通知で指定された作業スケジュールの状態フラグを“作業中”に変更する（ステップＳ８２）。また、作業状態管理部１１４は、看護師端末３０から完了通知を受け付けると（ステップＳ８３）、この完了通知で指定された作業スケジュールの状態フラグを“作業完了”に変更し（ステップＳ８４）、処理を終了する。これにより、作業スケジュールの作業状況が、状況フラグに反映されることになる。
【００８９】
以上のように、本実施形態によれば、看護師は、作業対象者となる患者が入院位置に不在の場合に、当該患者（又は入院位置）の戻り通知を看護師端末３０を介して業務支援サーバ１０に要求（設定）することで、この患者が入院位置に戻った場合に、その戻りの通知を受けることができる。これにより、看護師は、患者が戻るまで待機したり、伝言メモ等を残したりすることが不要となるため、看護師の利便性を向上させることができるとともに、作業の円滑化を図ることができる。
【００９０】
以上、本発明の実施形態を説明したが、上記実施形態は、例として提示したものであり、発明の範囲を限定することは意図していない。上記実施形態は、その他の様々な形態で実施されることが可能であり、発明の要旨を逸脱しない範囲で、種々の省略、置き換え、変更、追加等を行うことができる。また、上記実施形態やその変形は、発明の範囲や要旨に含まれるとともに、特許請求の範囲に記載された発明とその均等の範囲に含まれる。
【００９１】
例えば、上記実施形態では、看護業務に係る作業スケジュールを管理の対象としたが、管理の対象となる作業スケジュールは、これに限らず、他の業種や業務に係る作業スケジュールを管理の対象としてもよい。また、上記実施形態では、情報通信端末として携帯型の看護師端末３０を用いた例を説明したが、これに限らず、この情報通信端末を据え置き型のＰＣ等とする形態としてもよい。
【００９２】
また、上記実施形態の各装置で実行されるプログラムは、各装置が備える記録媒体（ＲＯＭ又は記憶部）に予め組み込んで提供するものとするが、これに限らず、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。さらに、記録媒体は、コンピュータ或いは組み込みシステムと独立した媒体に限らず、ＬＡＮやインターネット等により伝達されたプログラムをダウンロードして記憶又は一時記憶した記録媒体も含まれる。
【００９３】
また、上記実施形態の各装置で実行されるプログラムをインターネット等のネットワークに接続されたコンピュータ上に格納し、ネットワーク経由でダウンロードさせることにより提供するように構成してもよく、インターネット等のネットワーク経由で提供又は配布するように構成してもよい。
【符号の説明】
【００９４】
１  看護業務システム
１０  業務支援サーバ
１１  ＣＰＵ
１１１  作業スケジュール提供部
１１２  戻り通知設定部
１１３  戻り監視部
１１４  作業状態管理部
１２  ＲＯＭ
１３  ＲＡＭ
１４  入力部
１５  表示部
１６  記憶部
１６１  センサ管理ファイル
１６２  患者管理ファイル
１６３  看護師管理ファイル
１６４  作業スケジュール管理ファイル
１７  通信Ｉ／Ｆ
２０  アクセスポイント
３０  看護師端末
３１  ＣＰＵ
３１１  作業スケジュール取得部
３１２  作業スケジュール表示部
３１３  戻り通知設定部
３１４  戻り通知表示部
３１５  作業状態通知部
３２  ＲＯＭ
３３  ＲＡＭ
３４  入力部
３５  表示部
３６  記憶部
３７  通信Ｉ／Ｆ
４０  センサ装置
Ｎ  ネットワーク
【先行技術文献】
【特許文献】
【００９５】
【特許文献１】特開２００８−９８８５号公報
【図１】
0005483631.tif 000002
【図２】
0005483631.tif 000003
【図３】
0005483631.tif 000004
【図４】
0005483631.tif 000005
【図５】
0005483631.tif 000006
【図６】
0005483631.tif 000007
【図７】
0005483631.tif 000008
【図８】
0005483631.tif 000009
【図９】
0005483631.tif 000010
【図１０】
0005483631.tif 000011
【図１１】
0005483631.tif 000012
【図１２】
0005483631.tif 000013
【図１３】
0005483631.tif 000014
【図１４】
0005483631.tif 000015
【図１５】
0005483631.tif 000016
【図１６】
0005483631.tif 000017